(57)【特許請求の範囲】
【請求項１】
遊技盤にその盤面から突出するように設けられて前記盤面の少なくとも上方に向けて開口するような上に凹な形状を有する入賞口と、
当該入賞口の上側にて前後方向に移動可能に設けられて当該入賞口を前方への移動により閉じ後方への移動により開く平板状開閉扉と、
当該開閉扉を前方或いは後方に移動させるように駆動する駆動手段とを備えるパチンコ遊技機のための可変入賞口装置において、
前記開閉扉の前記前縁部が、前記開閉扉の横方向一端部から横方向他端部にかけて、後方へ凹なＶ字状となるようにＶ字状前縁部として形成されていることを特徴とするパチンコ遊技機のための可変入賞装置。
【請求項２】
遊技盤にその盤面から突出するように設けられて前記盤面の少なくとも上方に向けて開口するような上に凹な形状を有する入賞口と、
当該入賞口の上側にて前後方向に移動可能に設けられて当該入賞口を前方への移動により閉じ後方への移動により開く平板状開閉扉と、
当該開閉扉を前方或いは後方に移動させるように駆動する駆動手段とを備えるパチンコ遊技機のための可変入賞口装置において、
前記開閉扉が、その横方向一端部から横方向他端部に向け延出する横方向一側扉部と、この横方向一側扉部と共に上側へ緩やかに突な屈曲形状をなすように前記横方向一側扉部の延出端部から前記横方向他端部まで延出する横方向他側扉部とを備えており、
前記横方向一側扉部の前縁部が、その横方向一側から横方向他側にかけて、前方から後方へ傾斜するように傾斜状前縁部として形成されていることを特徴とするパチンコ遊技機のための可変入賞装置。
【請求項３】
前記入賞口は、底壁と、この底壁の横方向一端部から上方へ延出する横方向一側壁と、前記底壁の横方向他端部から上方へ前記横方向一端部よりも高く延出する横方向他側壁とを少なくとも有して、少なくとも上方に開口するように形成されるコ字状入賞口であり、
前記開閉扉は、前記横方向一端部にて、前記入賞口の前記横方向一側壁の上端部上に移動可能に搭載され、前記横方向他端部にて、前記横方向他端部の上端部上に前後方向に移動可能に搭載されることを特徴する請求項１または２に記載のパチンコ遊技機のための可変入賞装置。
【請求項４】
前記入賞口は、底壁と、この底壁の横方向一端部から上方へ延出する横方向一側壁と、前記底壁の横方向他端部から上方へ前記横方向一端部よりも高く延出する横方向他側壁とを少なくとも有して、少なくとも上方に開口するように形成されるコ字状入賞口であり、
前記開閉扉は、前記横方向一端部にて、前記入賞口の前記横方向一側壁の上端部の上方に移動可能に位置し、前記横方向他端部にて、前記横方向他端部の上端部上に前後方向に移動可能に搭載されることを特徴する請求項１または２に記載のパチンコ遊技機のための可変入賞装置。
【請求項５】
遊技盤本体と、
この遊技盤本体にその遊技盤の盤面側から開閉可能に支持される前扉と、
前記遊技盤の前記盤面の右側下部から前記前扉の透明板に向けて大入賞口装置として突設される請求項１〜４のいずれか１つに記載の可変入賞口装置であって、その入賞口を前記遊技盤の前記盤面の上方及び前記透明板に向けて開口させ、かつ、前記開閉扉を前記遊技盤の右側から左側にかけて下方に向け傾斜させてなる可変入賞口装置とを備えるパチンコ遊技機。
【発明の詳細な説明】
【技術分野】
【０００１】
本発明は、可変入賞口装置及びこの可変入賞口装置を備えたパチンコ遊技機に関する。
【背景技術】
【０００２】
従来、この種のパチンコ遊技機においては、下記特許文献１に記載のパチンコ遊技機が提案されている。このパチンコ遊技機においては、第１開閉装置が、大入賞口装置として、遊技盤の盤面に設けられている。当該第１開閉装置は、遊技盤の盤面の前後方向に進退可能な第１大入賞口開閉扉と、この第１大入賞口開閉扉の直下に位置する第１大入賞口とを備えている。
【０００３】
このように構成された当該第１開閉装置では、第１大入賞口開閉扉は、遊技盤の前方から後方に向けて移動することで、第１大入賞口を開き、逆に、遊技盤の後方から前方に向けて移動することで、第１大入賞口を閉じるようになっている。
【先行技術文献】
【特許文献】
【０００４】
【特許文献１】特開２００８−３０７３１５号公報
【発明の概要】
【発明が解決しようとする課題】
【０００５】
しかしながら、上述の第１開閉装置の構成によれば、第１大入賞口を閉じるにあたり、第１大入賞口開閉扉は、遊技盤の後方から前方に向けて移動することで、前扉のガラス板に向けて進むことになる。このような段階にて、遊技球が遊技盤の盤面に沿い降下すると、当該遊技球が、前扉のガラス板と第１大入賞口開閉扉との間に挟み込まれて、第１大入賞口開閉扉の前方へのさらなる移動を妨げる。その結果、第１大入賞口を正しく閉じることができないという不具合を招く。
【０００６】
そこで、本発明は、以上のようなことに対処するために、前後方向に移動可能な開閉扉の構成に工夫を凝らすことにより、遊技球を当該開閉扉と前扉の透明板との間に挟み込んだときこの挟み込みを即座に解消するようにした可変入賞口装置及びこの可変入賞口装置を備えたパチンコ遊技機を提供することを目的とする。
【課題を解決するための手段】
【０００７】
上記課題の解決にあたり、本発明に係るパチンコ遊技機のための可変入賞口装置は、請求項１の記載によれば、
遊技盤（１０）にその盤面（１１）から突出するように設けられて上記盤面の少なくとも上方に向けて開口するような上に凹な形状を有する入賞口（２１０）と、
当該入賞口の上側にて前後方向に移動可能に設けられて当該入賞口を前方への移動により閉じ後方への移動により開く平板状開閉扉（２２０、２２０Ａ、２２０Ｂ）と、
当該開閉扉を前方或いは後方に移動させるように駆動する駆動手段（２３０）とを備える。
【０００８】
当該可変入賞口装置において、開閉扉の上記前縁部が、開閉扉の横方向一端部から横方向他端部にかけて、後方へ凹なＶ字状となるようにＶ字状前縁部（２２６）として形成されていることを特徴とする。
【０００９】
このように、開閉扉の前縁部が、開閉扉の横方向一端部から横方向他端部にかけて、後方へ凹なＶ字状となるようにＶ字状前縁部として形成されている。
【００１０】
従って、開閉扉が大入賞口を閉じるべく前進する過程において、遊技球が、入賞口の上端部と、開閉扉のＶ字状前縁部のうち開閉扉の横方向一端部側端部と、透明板との間、或いは開閉扉のＶ字状前縁部のうち開閉扉の横方向一端部側端部と、透明板との間に挟み込まれても、当該遊技球は、開閉扉により、その前進に伴い、Ｖ字状前縁部のうち開閉扉の横方向一端部側端部と透明板との間の間隔のうちより
広い間隔部位に向けて押動されるとともに下方へ移動して、上記挟み込み状態から瞬時に解放されて、入賞口内に落下する。
【００１１】
これにより、開閉扉は、上記挟み込み状態からの瞬時の解放のもとに、円滑に透明板に向けて前進して、入賞口を適正に閉じることができる。その結果、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。
【００１７】
また、本発明に係るパチンコ遊技機のための可変入賞装置は、請求項２の記載によれば、
遊技盤（１０）にその盤面（１１）から突出するように設けられて上記盤面の少なくとも上方に向けて開口するような上に凹な形状を有する入賞口（２１０）と、
当該入賞口の上側にて前後方向に移動可能に設けられて当該入賞口を前方への移動により閉じ後方への移動により開く平板状開閉扉（２２０、２２０Ａ、２２０Ｂ）と、
当該開閉扉を前方或いは後方に移動させるように駆動する駆動手段（２３０）とを備える。
当該可変入賞口装置において、
開閉扉が、その横方向一端部から横方向他端部に向け延出する横方向一側扉部（２２７）と、この横方向一側扉部と共に上側へ緩やかに突な屈曲形状をなすように上記横方向一側扉部の延出端部から上記横方向他端部まで延出する横方向他側扉部（２２８）とを備えており、
上記横方向一側扉部の前縁部が、その横方向一側から横方向他側にかけて、前方から後方へ傾斜するように傾斜状前縁部（２２７ａ）として形成されていることを特徴とする。
【００１８】
このように開閉扉の横方向一側扉部の前縁部が、その横方向一側から横方向他側にかけて、前方から後方へ傾斜するように傾斜状前縁部として形成されていることから、開閉扉が大入賞口を閉じるべく前進する過程において、遊技球が、入賞口の上端部と、開閉扉のＶ字状前縁部のうち開閉扉の横方向一端部側端部と、透明板との間、或いは開閉扉のＶ字状前縁部のうち開閉扉の横方向一端部側端部と、透明板との間に挟み込まれても、当該遊技球は、開閉扉により、その前進に伴い、横方向一側扉部の傾斜状前縁部のうち開閉扉の横方向一端部側端部と透明板との間の間隔のうちより広い間隔部位に向けて押動されるとともに下方へ移動して、上記挟み込み状態から瞬時に解放されて、入賞口内に落下する。
これにより、開閉扉は、上記挟み込み状態からの瞬時の解放のもとに、円滑に透明板に向けて前進して、入賞口を適正に閉じることができる。その結果、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。
【００１９】
また、本発明は、請求項３の記載によれば、請求項１または２に記載のパチンコ遊技機のための可変入賞装置において、
入賞口は、底壁（２１１）と、この底壁の横方向一端部から上方へ延出する横方向一側壁（２１２）と、上記底壁の横方向他端部から上方へ上記横方向一端部よりも高く延出する横方向他側壁（２１３）とを少なくとも有して、少なくとも上方に開口するように形成されるコ字状入賞口であり、
開閉扉は、上記横方向一端部にて、入賞口の上記横方向一側壁の上端部上に移動可能に搭載され、上記横方向他端部にて、上記横方向他端部の上端部上に前後方向に移動可能に搭載されることを特徴する。
【００２０】
このように開閉扉は、上記横方向一端部にて、入賞口の上記横方向一側壁の上端部上に移動可能に搭載されていても、請求項１または２に記載の発明と同様の作用効果が達成され得る。
【００２１】
また、本発明は、請求項４の記載によれば、請求項１または２に記載のパチンコ遊技機のための可変入賞装置において、
入賞口は、底壁（２１１）と、この底壁の横方向一端部から上方へ延出する横方向一側壁（２１２）と、上記底壁の横方向他端部から上方へ上記横方向一端部よりも高く延出する横方向他側壁（２１３）とを少なくとも有して、少なくとも上方に開口するように形成されるコ字状入賞口であり、
開閉扉は、上記横方向一端部にて、入賞口の上記横方向一側壁の上端部の上方に移動可能に位置し、上記横方向他端部にて、上記横方向他端部の上端部上に前後方向に移動可能に搭載されることを特徴する。
【００２２】
このように開閉扉が上記横方向一端部にて入賞口の上記横方向一側壁の上端部の上方に移動可能に位置することで、遊技球が、開閉扉の前縁部と、透明板と、入賞口の左側壁の上端部とによる互いに離れた３点支持によって、或いは開閉扉の前縁部と、透明板との間に、見かけ上落下不能に挟み込まれても、当該遊技球は、開閉扉により、その前進に伴い、前縁部と透明板との間の間隔のうちより広い間隔部位に向けて押動される。その結果、請求項１または２に記載の発明と同様の作用効果が達成され得る。
【００２３】
また、本発明に係るパチンコ遊技機は、請求項５の記載によれば、
遊技盤本体（Ｂ）と、
この遊技盤本体にその遊技盤（１０）の盤面（１１）側から開閉可能に支持される前扉（ＦＤ）と、
遊技盤の上記盤面の右側下部から前扉の透明板（ＦＤ２）に向けて大入賞口装置として突設される請求項１〜４のいずれか１つに記載の可変入賞口装置であって、その入賞口を遊技盤の上記盤面の上方及び透明板に向けて開口させ、かつ、開閉扉を遊技盤の右側から左側にかけて下方に向け傾斜させてなる可変入賞口装置（２００）とを備える。
【００２４】
これによれば、請求項１〜４のいずれか１つに記載の発明と同様の作用効果を達成し得るパチンコ遊技機の提供が可能となる。
【発明の効果】
【００２５】
本発明によれば、開閉扉が入賞口を閉じるべく前進する過程において、遊技球が、入賞口の上端部と、開閉扉のＶ字状前縁部のうち開閉扉の横方向一端部側端部と、透明板との間、或いは開閉扉のＶ字状前縁部のうち開閉扉の横方向一端部側端部と、透明板との間に挟み込まれても、当該遊技球は、開閉扉により、その前進に伴い、Ｖ字状前縁部のうち開閉扉の横方向一端部側端部と透明板との間の間隔のうちより広い間隔部位に向けて押動されるとともに下方へ移動して、上記挟み込み状態から瞬時に解放されて、入賞口内に落下する。これにより、開閉扉は、上記挟み込み状態からの瞬時の解放のもとに、円滑に透明板に向けて前進して、入賞口を適正に閉じることができる。
【００２６】
なお、上記各手段の括弧内の符号は、後述する実施形態に記載の具体的手段との対応関係を示すものである。
【図面の簡単な説明】
【００２７】
【図１】本発明に係るパチンコ遊技機の第１実施形態を示す正面図である。
【図２】図１のパチンコ遊技機の遊技盤を示す正面図である。
【図３】図２のアタッカーを、開閉扉により大入賞口を閉じた状態にて示す斜視図である。
【図４】図２のアタッカーを、開閉扉により大入賞口を開いた状態にて示す斜視図である。
【図５】図２のアタッカーの駆動機構を、大入賞口を閉じた位置にある開閉扉とともに示す拡大斜視図である。
【図６】図２のアタッカーの駆動機構を、大入賞口を開いた位置にある開閉扉とともに示す拡大斜視図である。
【図７】図６のアタッカーの駆動機構を、大入賞口を開いた位置にある開閉扉とともに示す拡大斜視図である。
【図８】上記第１実施形態の電気回路構成を示すブロック図である。
【図９】上記第１実施形態において遊技球を前扉のガラス板との間に挟み込む過程を説明するためのアタッカーの斜視図である。
【図１０】上記第１実施形態において遊技球を前扉のガラス板との間に挟み込む過程を説明するためのアタッカーの平面図である。
【図１１】上記第１実施形態において遊技球を前扉のガラス板との間の挟み込みから解消する過程を説明するためのアタッカーの斜視図である。
【図１２】上記第１実施形態において遊技球を前扉のガラス板との間の挟み込みから解消する過程を説明するためのアタッカーの平面図である。
【図１３】本発明に係るパチンコ遊技機の第２実施形態の要部を示す斜視図である。
【図１４】本発明に係るパチンコ遊技機の第３実施形態の要部を示す斜視図である。
【図１５】本発明に係るパチンコ遊技機の第４実施形態の要部を示す斜視図である。
【図１６】本発明に係るパチンコ遊技機の第４実施形態の要部を示す平面図である。
【図１７】上記第４実施形態において遊技球を前扉のガラス板との間に挟み込む過程を説明するためのアタッカーの斜視図である。
【図１８】上記第４実施形態において遊技球を前扉のガラス板との間に挟み込む過程を説明するためのアタッカーの平面図である。
【図１９】上記第４実施形態において遊技球を前扉のガラス板との間の挟み込みから解消する過程を説明するためのアタッカーの斜視図である。
【図２０】上記第４実施形態において遊技球を前扉のガラス板との間の挟み込みから解消する過程を説明するためのアタッカーの平面図である。
【図２１】本発明に係るパチンコ遊技機の第５実施形態の要部を示す斜視図である。
【図２２】本発明に係るパチンコ遊技機の第６実施形態の要部を示す斜視図である。
【図２３】本発明に係るパチンコ遊技機の第６実施形態の要部を示す平面図である。
【図２４】上記第６実施形態において遊技球を前扉のガラス板との間に挟み込む過程を説明するためのアタッカーの斜視図である。
【図２５】上記第６実施形態において遊技球を前扉のガラス板との間に挟み込む過程を説明するためのアタッカーの平面図である。
【図２６】上記第６実施形態において遊技球を前扉のガラス板との間に挟み込みから解消する過程を説明するためのアタッカーの斜視図である。
【図２７】上記第６実施形態において遊技球を前扉のガラス板との間に挟み込みから解消する過程を説明するためのアタッカーの平面図である。
【図２８】本発明に係るパチンコ遊技機の第７実施形態の要部を示す斜視図である。
【発明を実施するための形態】
【００２８】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００２９】
なお、前扉ＦＤは、図１にて示すごとく、前枠ＦＤ１の中空部に窓ガラスＦＤ２を嵌め込んで構成されている。また、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００３０】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体にて、上記機枠により前後方向に開閉可能に支持されている。
【００３１】
また、当該遊技機本体Ｂは、ガイドレール２０、環状のセンター構造物３０及び遊技釘群４０を備えている。ガイドレール２０は、内側レール部２１及び外側レール部２２からなるもので、これら内側レール部２１及び外側レール部２２は、図２にて示すごとく、遊技盤１０の盤面１１の外周部に沿い配設されている。
【００３２】
ここで、内側レール部２１は、外側レール部２２の内周側にて、遊技盤１０の盤面１１に沿いセンター構造物３０（後述する）の左側上部から当該センター構造物の下方にかけて左斜め下方に向けて凸な円弧状に配設されている。また、外側レール部２２は、遊技盤１０の盤面１１に沿い、内側レール部２１に所定間隔をおいて位置するように、センター構造物３０の左側斜め下部から上側を介し右側にかけて外方に向け凸な円弧状に配設されている。なお、ガイドレール２０は、外側レール部２２の内周側において、遊技盤１０の盤面１１上に遊技領域１２を形成する。
【００３３】
しかして、当該ガイドレール２０は、操作ハンドルＨの図１にて図示時計方向への回動操作により、球発射装置（図示しない）から発射される遊技球を内側レール部２１及び外側レール部２２の間を通して遊技領域１２の左側上部内に案内する。本第１実施形態において、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００３４】
ここで、当該球発射装置は、操作ハンドルＨの回動角度に応じた打球力でもって、内側レール部２１及び外側レール部２２の間に向け、遊技球を所定の時間間隔にて順次発射するように構成されている。なお、操作ハンドルＨの回動角度は、所定回動角度以下に規制されている。
【００３５】
しかして、操作ハンドルＨの回動角度を、上記所定回動角度の最大値（最大回動角度）にすれば、遊技球は、操作ハンドルＨの最大の打球力でもって、内側レール部２１及び外側レール部２２の間に向け発射されて、外側レール部２２の内周面に沿いセンター構造物３０の右側へ転動する。以下、このように操作ハンドルＨをその最大回動角度まで回動する操作を、右打ち操作という。
【００３６】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００３７】
センター構造物３０は、図２にて示すごとく、遊技盤１０の中央開口部１３の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。しかして、遊技釘群４０によれば、ガイドレール２０から遊技領域１２の左側上部内に順次案内される遊技球は、遊技盤１０の盤面１１に沿い、各遊技釘４１との衝突を経て、下方へ転動する。
【００３８】
また、当該遊技機本体Ｂは、画像表示器５０を備えており、この画像表示器５０は、その表示面である液晶パネル５１にて、遊技盤１０の中央開口部１３から前方を臨むように、遊技盤１０にその裏面側から配設されている。しかして、この画像表示器５０は、後述する制御装置３００（図８参照）による制御のもと、当該パチンコ遊技機による遊技の進行に伴い、大当たり抽選の結果を複数の装飾図柄により表示したり、或いは、リーチ演出として各種の動画像を表示する等の種々の演出表示を行う。
【００３９】
また、当該遊技機本体Ｂは、スタートチャッカー６０、電動チューリップ７０、左右両側スルーゲート８０、風車９０、複数（３つ）の普通入賞口１００、表示器群１１０及びアタッカー２００を備えており、スタートチャッカー６０、電動チューリップ７０、左右両側スルーゲート８０、風車９０、各普通入賞口１００及びアタッカー２００は、センター構造物３０とともに、左打ち操作による遊技球を始動入賞口６１（後述する）に入賞させ易いように、かつ、右打ち操作による遊技球を始動入賞口６１に入賞させにくいように、図２に示す各配置位置にて、遊技盤１０の盤面１１に遊技領域１２内にて組み付けられている。
【００４０】
ここで、スタートチャッカー６０は、センター構造物３０の下縁中央部の直下に位置している。このスタートチャッカー６０は、始動入賞口６１を備えており、当該スタートチャッカー６０は、その左右周辺に位置する複数の遊技釘４１（いわゆる道釘４１）により案内される遊技球やセンター構造物３０のステージ上から落下する遊技球に対し始動入賞口６１への入賞（始動入賞）の機会を与える。また、当該スタートチャッカー６０は、始動入賞口６１への遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００４１】
電動チューリップ７０は、普通電動役物としての役割を果たすべく、スタートチャッカー６０の直下に位置しており、この電動チューリップ７０は、電チュー入賞口７１及び左右両側羽根部材７２を備えている。しかして、当該電動チューリップ７０は、左右両側羽根部材７２による閉鎖状態（図２にて示す状態）にて、遊技球に対し電チュー入賞口７１への入賞の機会を与える。また、当該電動チューリップ７０は、左右両側羽根部材７２による開放状態にて、遊技球の電チュー入賞口７１への入賞の機会を増大させる。なお、電チュー入賞口７１は、始動入賞口６１と同様の遊技球の始動入賞口としての役割をも兼ね、所定個数の賞球の払い出すととともに大当たり抽選の機会を形成する。
【００４２】
本第１実施形態では、電動チューリップ７０の左右両側羽根部材７２は、遊技盤１０にその裏面側から設けた電チューアクチュエータ７３（図８参照）により互いに離れる方向に傾動するように駆動されて、電動チューリップ７０を上記開放状態にし、また、電チューアクチュエータ７３により互いに近づく方向に傾動するように駆動されて、電動チューリップ７０を上記閉鎖状態にする。
【００４３】
左右両側スルーゲート８０のうち、左側スルーゲート８０は、図２にて示すごとく、センター構造物３０の左縁中央部の左側に位置している。これにより、操作ハンドルＨの左打ち操作によりセンター構造物３０の左側上部に案内された遊技球が当該左側スルーゲート８０の直上から遊技盤１０の盤面１１に沿い下方へ転動するとき、当該遊技球は左側スルーゲート８０を通過する機会を得る。
【００４４】
一方、右側スルーゲート８０は、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート８０を通過する機会を得る。
【００４５】
しかして、上述のように遊技球が左右両側スルーゲート８０のいずれかを通過すると、後述のような遊技球に対する左右両側スルーゲート８０のいずれかの通過の検出のもと、普通図柄の抽選が開始される。
【００４６】
ここで、この普通図柄の抽選は、電動チューリップ７０の電チュー入賞口７１を開放するか否かの抽選である。ちなみに、普通図柄の抽選が当選であると、電動チューリップ７０が、遊技状態に応じて、電チュー入賞口７１を左右両側羽根部材７２により所定の時間及び所定の回数だけ開放するようになっている。
【００４７】
風車９０は、左側スルーゲート８０の下方に位置しており、この風車９０は、遊技盤１０の盤面１１に沿い左側スルーゲート８０或いはその周囲から下方へ転動する遊技球により衝突されたとき、回転しつつ当該遊技球を下方へ転動させる。
【００４８】
複数（３つ）の普通入賞口１００は、スタートチャッカー６０の左側に位置しており、これら各普通入賞口１００は、その直上から下方へ転動する遊技球に対し入賞の機会を与える。ここで、普通入賞口１００への遊技球の入賞に伴い、所定個数の賞球が払い出される。
【００４９】
表示器群１１０は、図２にて示すごとく、遊技盤１０の右下隅角部にその前面側から配設されており、この表示器群１１０は、普通図柄表示器１１１、普通図柄保留器１１２、特別図柄表示器１１３及び特別図柄保留器１１４でもって構成されている。
【００５０】
ここで、普通図柄表示器１１１は、普通図柄を変動表示してこの普通図柄の変動表示の終了に伴い当該普通図柄の抽選結果を表示する。普通図柄保留器１１２は、普通図柄の変動表示の保留数を表示する。
【００５１】
特別図柄表示器１１３は、スタートチャッカー６０の始動入賞口６１への遊技球の入賞或いは電動チューリップ７０の電チュー入賞口７１への遊技球の入賞に伴いなされる大当たり抽選の結果に基づき、特別図柄を変動表示して、この特別図柄の変動表示の終了に伴い大当たり抽選の結果を表示する。また、特別図柄保留器１１４は、特別図柄の変動表示の保留数を表示する。
【００５２】
なお、図２において、符号１００ａは、アウト口を示しており、このアウト口１００ａは、電動チューリップ７０の直下にて、内側レール部２１の右側下端部（遊技盤１０の中央下端部に対応）にて遊技盤１０にその盤面１１側から設けられている。しかして、当該アウト口１００ａは、遊技盤１０の盤面１１に沿い環状センター構造物３０の左側或いは右側を介し遊技盤１０の中央下端部に向けて転動する遊技球を進入させて当該遊技盤１０の裏側へ排出する。
【００５３】
アタッカー２００は、大入賞口装置ともいい、このアタッカー２００は、図２にて示すごとく、当該パチンコ遊技機の左右方向にはスタートチャッカー６０と右側スルーゲート８０との間において、また、当該パチンコ遊技機の前後方向には前後両側飾り板１２０ａ、１２０ｂの間において、右側スルーゲート８０の左斜め下方に位置するように、遊技盤１０にその盤面１１側から組み付けられている。
【００５４】
本第１実施形態において、前側飾り板１２０ａは、図２にて示すごとく、表示器群１１０を上側及び左右両側から包囲するように、後側飾り板１２０ｂ及びアタッカー２００を介し、遊技盤１０の右下隅角部にその前面に沿い設けられている。また、後側飾り板１２０ｂは、図２から分かるように、前側飾り板１２０ａ及びアタッカー２００の後方にて、遊技盤１０の右下隅角部にその前面に沿い設けられている。
【００５５】
当該アタッカー２００は、図３及び図４のいずれかにて示すごとく、アタッカー本体２００ａと、左右両側案内板２００ｂ、２００ｃとを備えている。アタッカー本体２００ａは、遊技盤１０の右側下部に形成した組み付け穴部（図示しない）に組み付けられており、このアタッカー本体２００ａは、コ字状大入賞口２１０と、平板状開閉扉２２０と、駆動機構２３０により構成されている（図３或いは図４参照）。
【００５６】
コ字状大入賞口２１０は、底壁２１１と、左右両側壁２１２、２１３とを備えている。底壁２１１は、前後両側飾り板１２０ａ、１２０ｂの間にて、遊技盤１０の盤面１１に直交して位置して当該盤面１１に沿い左右方向に延在するように配設されており、この底壁２１１は、後述のように大入賞口２１０に入賞する遊技球を後方へ転動させるように、その前縁部から後縁部にかけて僅かに下方に向け傾斜している。
【００５７】
このため、コ字状大入賞口２１０内にて転動する遊技球は、当該コ字状大入賞口２１０の後側開口面（後述する）を通り遊技盤１０内にその裏側へ開口するように形成した大入賞口入賞通路（図示しない）内に転動する。なお、本第１実施形態において、前側扉ＦＤを閉じた状態では、底壁２１１及び左右両側壁２１２、２１３の各前縁部と前扉ＦＤの窓ガラスＦＤ２との間隔は、遊技球の外径よりも幾分狭くなっている。
【００５８】
左右両側壁２１２、２１３は、それぞれ、底壁２１１の左右両端部から上方へ延出されて、当該底壁２１１と共に、コ字状大入賞口２１０を形成している。このようにコ字状大入賞口２１０を形成することで、当該大入賞口２１０は、底壁２１１の上方並びに左右両側壁２１２、２１３の前方及び後方に向けて開口している。
【００５９】
本第１実施形態では、以下、大入賞口２１０において、左右両側壁２１２、２１３の各上端部間に形成される開口面を上側開口面ともいい、左右両側壁２１２、２１３の各前縁部間に形成される開口面を前側開口面ともいい、また、左右両側壁２１２、２１３の各後縁部間に形成される開口面を後側開口面ともいう。但し、右側壁２１３は、左側壁２１２よりも上方へ高く延出している。このため、上記上側開口面は、遊技盤１０の盤面１１に沿い右側から左側にかけて下方へ緩やかに傾斜している。
【００６０】
平板状開閉扉２２０は、図３にて示すごとく、その左右両側端部２２１、２２２にて、大入賞口２１０の左右両側壁２１２、２１３の各上端部上に沿い、前後方向に移動可能となるように設けられているもので、当該平板状開閉扉２２０は、その左側端部２２１及び右側端部２２２にて、左側壁２１２の上端部及び右側壁２１３の上端部上に位置している。このため、当該平板状開閉扉２２０は、その右側端部２２２から左側端部２２１にかけて、上記上側開口面に沿い下方に向けて傾斜している。
【００６１】
しかして、当該開閉扉２２０は、左右両側壁２１２、２１３の各上端部（即ち、大入賞口２１０の上記上側開口面）に沿い後方へ移動することにより、大入賞口２１０を上記上側開口面の側から開き、また、大入賞口２１０の上記上側開口面に沿い前方へ移動することにより、大入賞口２１０を上記上側開口面の側から閉じるようになっている（図３及び図４参照）。
【００６２】
ここで、当該平板状開閉扉２２０は、図３にて示すごとく、その左側端部２２１の前端部２２１ａ（左前側隅角部２２１ａ）から右側端部２２２の前後方向中間部位２２２ａにかけて、直線状に傾斜するように切除されている。換言すれば、平板状開閉扉２２０の前縁部は、傾斜状前縁部２２４として、左前側隅角部２２１ａから右側端部２２２の前後方向中間部位２２２ａにかけて直線状に後方へ傾斜するように形成されている。
【００６３】
これにより、平板状開閉扉２２０は、傾斜状前縁部２２４と、窓ガラスＦＤ２と、右側壁２１３の上端部のうち閉状態の開閉扉２２０の右側端部２２２からの前方への延出部位との間にて、上記前側開口面に直交するように、直角三角形状補助開口面を形成する。このことは、当該直角三角形状補助開口面が、その斜辺にて、図３にて示すごとく、平板状開閉扉２２０における左側端部２２１の左前側隅角部２２１ａから右側端部２２２の前後方向中間部位２２２ａに向けて直線状に傾斜していることを意味する。
【００６４】
左右両側案内板２００ｂ、２００ｃのうち、左側案内板２００ｂは、図３或いは図４にて示すごとく、その右端部から左側下方に向けて緩やかな直線状に傾斜するように、コ字状大入賞口２１０の左側壁２１２の上端部から左側に向けて前側飾り板１２０ａの左端部上に沿い延出されている。これにより、遊技球が、大入賞口２１０に入賞することなく開閉扉２２０の上面に沿い左側へ転動すると、当該遊技球は、左側案内板２００ｂにより左側に向け案内されて、当該左側案内板２００ｂの左端部から落下してアウト口１００ａに向けて転動する。
【００６５】
また、右側案内板２００ｃは、図３或いは図４にて示すごとく、その左端部から右側下方に向けて緩やかな直線状に傾斜するように、コ字状大入賞口２１０の右側壁２１３の上端部から延出されている。これにより、遊技球が、大入賞口２１０に入賞することなく開閉扉２２０から右側へ転動すると、当該遊技球は、右側案内板２００ｃにより右側に案内されて、当該右側案内板２００ｃの右端部から落下して転動板１１０ａに沿いアウト口１００ａに向け転動する。なお、転動板１１０ａは、表示器群１１０を配設してなる壁部１１０ｂ上に沿い左側に向け緩やかな直線状に傾斜するように設けられている。
【００６６】
駆動機構２３０は、図５或いは図６にて示すごとく、開閉扉２２０を前後方向に移動可能に下方から支持するように、遊技盤１０の上記組み付け穴部内に組み付けられており、この駆動機構２３０は、図５〜図７のいずれかにより示すごとく、大入賞口アクチュエータ２３０ａと、回動部材２３０ｂと、連動部材２３０ｃと、回動部材２３０ｄとにより構成されている。
【００６７】
大入賞口アクチュエータ２３０ａは、筒状矩形状筐体２３１、ソレノイド２３１ａ、プランジャー２３２及びコイルスプリング（図示しない）を有している（図５〜図７のいずれか参照）。筒状矩形状筐体２３１は、その軸方向にて、遊技盤１０の左右方向に沿うように、遊技盤１０の上記組み付け穴部内に組み付けられており、この矩形状筐体２３１は、その前壁開口部２３１ｂにて、遊技盤１０の右側を臨むように位置している。
【００６８】
ソレノイド２３１ａは、矩形状筐体２３１内に同軸的に支持されており、当該ソレノイド２３１ａは、その励磁により吸引力を発生し、その消磁により上記吸引力の発生を停止する。プランジャー２３２は、矩形状筐体２３１の前壁開口部２３１ｂを通しソレノイド２３１ａ内に同軸的に摺動可能に嵌装されており、このプランジャー２３２は、その縦断面Ｔ字状突出部２３２ａにて、矩形状筐体２３１の前壁開口部２３１ｂから右方へ突出している。なお、縦断面Ｔ字状突出部２３２ａは、プランジャー２３２の先端部と、この先端部に同軸的にかつ傾動可能に支持してなる円板状頭部２３２ｂとでもって構成されている。
【００６９】
しかして、当該プランジャー２３２は、ソレノイド２３１ａの吸引力のもとに、上記コイルスプリングに抗して当該ソレノイド内に向けて摺動し、また、ソレノイド２３１ａの消磁により当該ソレノイドの吸引力から解放されて、上記コイルスプリングによる付勢のもとに、矩形状筐体２３１の前壁開口部２３１ｂ側に向けて摺動する。なお、上記コイルスプリングは、ソレノイド２３１ａ内にてプランジャー２３２を右方へ付勢するように配設されている。
【００７０】
回動部材２３０ｂは、プランジャー２３２のＴ字状突出部２３２ａにその右側から対向して位置するように、遊技盤１０の上記組み付け穴部内に支持されている。
【００７１】
この回動部材２３０ｂは、基部２３３と、この基部２３３から上方へ延出するコ字状板部２３４と、ピン２３５とを備えている。基部２３３は、その軸（図５にて一点鎖線２３３ａ参照）にて、プランジャー２３２のＴ字状突出部２３２ａの下方に位置しかつプランジャー２３２の摺動方向に直交して位置して、左右方向（プランジャー２３２の摺動方向）に回動可能に遊技盤１０の上記組み付け穴部内に支持されている。
【００７２】
コ字状板部２３４は、基部２３３から上方へ延出してなるもので、このコ字状板部２３４は、連結部２３４ａから前後両側腕部２３４ｂを左方へ延出させてコ字状に形成されている。ピン２３５は、コ字状板部２３４内にてその連結部２３４ａに平行となるように、前後両側腕部２３４ｂ間に支持されている。
【００７３】
このように構成した回動部材２３０ｂは、大入賞口アクチュエータ２３０ａと次のように連結されている。
【００７４】
即ち、大入賞口アクチュエータ２３０ａのプランジャー２３２は、その縦断面Ｔ字状突出部２３２ａにて、コ字状板部２３４の前後両側腕部２３４ｂの間に挿入されて、円板状頭部２３２ｂでもって、ピン２３５と連結部２３４ａとの間にてコ字状板部２３４に対し相対傾動可能に挟持されている。
【００７５】
これにより、回動部材２３０ｂにおいて、コ字状板部２３４は、プランジャー２３２の矩形状筐体２３１内への摺動に伴い、ピン２３５にて左方へ引っ張られて、軸２３３ａを軸として、基部２３３とともに、反時計方向に回動し、また、プランジャー２３２の矩形状筐体２３１の右方に向かう摺動に伴い、連結部２３４ａにて、右方へ押されて、軸２３３ａを軸として、基部２３３とともに、時計方向に回動する（図５及び図６参照）。
【００７６】
連動部材２３０ｃは、回動部材２３０ｂにその回動に連動して回動するように連結されているもので、この連動部材２３０ｃは、上壁部２３６及び下壁部２３７でもって構成されている（図５〜図７参照）。
【００７７】
ここで、上壁部２３６は、その前後方向壁部２３６ａと、この前後方向壁部２３６ａの後端部から左方に向けＬ字状に屈曲してなる左右方向壁部２３６ｂとを備えている。しかして、当該上壁部２３６においては、その前後方向壁部２３６ａが、回動部材２３０ｄ（後述する）にその右側から対向するように前後方向に沿い支持されており、左右方向壁部２３６ｂは、回動部材２３０ｂの基部２３３の前側部位に形成した凹状切り欠き部（図６参照）内に組み付けられている。これにより、連動部材２３０ｃは、回動部材２３０ｂと一体的に連結されて、回動部材２３０ｂと共に一体となって、反時計方向或いは時計方向へ回動する。
【００７８】
下壁部２３７は、前後方向壁部２３７ａと、上下両側突出壁部２３７ｂ、２３７ｃとにより構成されており、当該下壁部２３７は、その前後方向壁部２３７ａにて、前後方向壁部２３６ａの前端部から下方に向け延出している。
【００７９】
上下両側突出壁部２３７ｂ、２３７ｃは、図５にて示すごとく、互いに上下に間隔をおいて平行に位置して、前後方向壁部２３７ａから左方へ突出されており、これら上下両側突出壁部２３７ｂ、２３７ｃは、回動部材２３０ｄにその右側から対向している。
【００８０】
回動部材２３０ｄは、図５にて示すごとく、回動軸２３８と、この回動軸２３８から延出するレバー２３９とにより構成されている。回動軸２３８は、大入賞口アクチュエータ２３０ａのプランジャー２３２の軸に平行となるように、矩形状筐体２３１の前壁の前縁下端部に回動可能に支持されており、この回動軸２３８は、その右端部にて、連動部材２３０ｃにその左側から対向している。
【００８１】
レバー２３９は、図５にて示すごとく、基部２３９ａ及び両レバー部２３９ｂ、２３９ｃ及びピン２３９ｄを有しており、当該レバー２３９は、基部２３９ａにて、回動軸２３８の外周部からその半径方向に向けて延出している。
【００８２】
ここで、レバー部２３９ｂは、図５にて示すごとく、基部２３９ａの左側部から前方に向けて凸な湾曲形状にて上方に向け延出されており、このレバー部２３９ｂは、その延出端部にて、開閉扉２２０の左右方向中間部位に形成した連結穴部２２３内に前後方向に相対傾動可能に連結されている。これにより、レバー部２３９ｂは、その前方への傾動により、開閉扉２２０を大入賞口２１０の左右両側壁２１２、２１３の各上端部に沿い前方へ移動させる。また、当該レバー部２３９ｂは、その後方への傾動により、開閉扉２２０を大入賞口２１０の左右両側壁２１２、２１３の各上端部に沿い後方へ移動させる。
【００８３】
また、レバー部２３９ｃは、基部２３９ａの右端部から前方へＬ字状に屈曲して延出されており、このレバー部２３９ｃは、回動軸２３８を軸として、レバー部２３９ｂと同一方向に傾動する。
【００８４】
ピン２３９ｄは、レバー部２３９ｃの前方延出端部から右方に向けて突出して、上下方向に相対傾動可能に回動部材２３０ｃの上下両側突出壁部２３７ｂ、２３７ｃの間に挿入係合されている。
【００８５】
このように構成したレバー部２３９ｃは、ピン２３９ｄにて、回動部材２３０ｃの時計方向への回動に伴い、上側突出壁部２３７ｂにより下方へ押動されて、レバー部２３９ｂとともに、遊技盤１０の前側に向けて傾動する。このことは、開閉扉２２０が大入賞口２１０を閉じることを意味する。
【００８６】
また、レバー部２３９ｃは、ピン２３９ｄにて、回動部材２３０ｃの反時計方向への回動に伴い、下側突出壁部２３７ｃにより上方へ押動されて、レバー部２３９ｂとともに、遊技盤１０の後側に向けて傾動する。このことは、開閉扉２２０が大入賞口２１０を開くことを意味する。
【００８７】
また、上記パチンコ遊技機は、図８にて示すごとく、制御装置３００を備えている。この制御装置３００は、始動入賞口センサＳ１、左右両側ゲートセンサＳ２、Ｓ３、電チュー入賞口センサＳ４及び大入賞口センサＳ５と、電チューアクチュエータ７３及び大入賞口アクチュエータ２３０ａとの間に接続されている（図８参照）。
【００８８】
始動入賞口センサＳ１は、スタートチャッカー６０の始動入賞口６１内に設けられており、この始動入賞口センサＳ１は、始動入賞口６１内に入賞する遊技球毎に当該遊技球の入賞を検出する。この検出毎に、所定個数の賞球が払い出され、かつ、大当たり抽選がなされるとともに、特別図柄表示部１１３により特別図柄の変動表示がなされる。
【００８９】
左側ゲートセンサＳ２は、左側スルーゲート８０内に設けられており、この左側ゲートセンサＳ３は、左側スルーゲート８０を通過する遊技球毎に当該通過遊技球を検出する。また、右側ゲートセンサＳ３は、右側スルーゲート８０内に設けられており、この右側ゲートセンサＳ３は、右側スルーゲート８０を通過する遊技球毎に当該通過遊技球を検出する。
【００９０】
電チュー入賞口センサＳ４は、電動チューリップ７０の電チュー入賞口７１内に設けられており、この電チュー入賞口センサＳ４は、電動チューリップ７０を介しその電チュー入賞口７１に入賞する遊技球毎に当該遊技球の入賞を検出する。この検出毎に、所定個数の賞球が払い出され、かつ、大当たり抽選がなされるとともに、特別図柄の変動表示が特別図柄表示器１１３によりなされる。
【００９１】
大入賞口センサＳ５は、アタッカー２００の上記後側開口面を通り形成した上記大入賞口入賞通路内に配設されており、この大入賞口センサＳ５は、上記大入賞口入賞通路を通る遊技球を、大入賞口２１０への遊技球の入賞として検出する。
【００９２】
制御装置３００は、マイクロコンピュータからなるもので、この制御装置３００は、所定のフローチャート（図示しない）に従い制御プログラムを実行する。しかして、この実行中において、制御装置３００は、始動入賞口センサＳ１、左側ゲートセンサＳ２、右側ゲートセンサＳ３、電チュー入賞口センサＳ４或いは大入賞口センサＳ５の検出出力に基づき、電チューアクチュエータ７３或いは大入賞口アクチュエータ２３０ａの制御に要する演算処理を行う。
【００９３】
以上のように構成した本第１実施形態において、上記パチンコ遊技機がその電源投入により遊技可能な作動状態になると、制御装置３００が作動状態になる。これに伴い、制御装置３００は、上記所定のフローチャートに従い上記制御プログラムを繰り返し実行する。
【００９４】
このとき、アタッカー２００においては、開閉扉２２０が、大入賞口２１０を閉じた状態にあるものとする。従って、大入賞口アクチュエータ２３０ａは、そのソレノイド２３１ａの消磁及び上記コイルスプリングによる付勢のもとに、プランジャー２３２を、矩形状筐体２３１の前壁開口部２３１ｂ側に向けて摺動させた状態にあり、回動部材２３０ｂは、図５にて示すごとく、軸２３３ａを軸として時計方向に回動した状態にあり、連動部材２３０ｃは、回動部材２３０ｂと共に時計方向へ回動した状態にあり、回動部材２３０ｄは、連動部材２３０ｃの時計方向への回動状態のもとに開閉扉２２０を前方に向けて移動させた状態にあり、大入賞口２１０は開閉扉２２０により閉じられた状態にある（図４及び図５参照）。
【００９５】
しかして、遊技者が、上記パチンコ遊技機による遊技を開始するにあたり、上記パチンコ遊技機の操作ハンドルＨを左打ち操作すれば、遊技球が、順次、上記球発射装置により発射されてガイドレール２０を通り遊技領域１２内に案内され、さらに、環状のセンター構造物３０の左側にて下方に向けて転動していく。
【００９６】
このように各遊技球が、順次、環状のセンター構造物３０の左側にて下方に向けて転動していく過程において、当該各遊技球のうちのいくつかの遊技球が、順次、スタートチャッカー６０の始動入賞口６１に入賞すると、これら各遊技球の入賞が始動入賞口センサＳ１により順次検出される。これに伴い、大当たり抽選が、始動入賞口センサＳ１の各検出出力に基づき順次行われる。なお、この大当たり抽選が順次行われる過程においては、特別図柄表示器１１３が特別図柄を変動表示する。また、この変動表示中において、次の大当たり抽選がなされる場合には、これに伴う特別図柄の特別図柄表示器１１３による変動表示は、特別図柄保留器１１４による保留表示のもとに、先の特別図柄の変動表示の終了まで保留される。
【００９７】
上述のように順次行われる大当たり抽選のいずれかにおいて、当該大当たり抽選の結果が「長当たり」、「短当たり」或いは「小当たり」に当選するものとする。ここで、「長当たり」及び「短当たり」は、大当たりに含まれるが、「長当たり」は、当該パチンコ遊技機の遊技状態を「長当たり遊技状態」におくための当たりであり、「短当たり」は、当該パチンコ遊技機の遊技状態を「短当たり遊技状態」におくための当たりである。また、「小当たり」は、当該パチンコ遊技機の遊技状態を「小当たり遊技状態」におくための当たりである。
【００９８】
ここで、「長当たり遊技状態」は、アタッカー２００において、所定のラウンド数（例えば、１５（回））に亘り、ラウンド毎に、大入賞口２１０を所定長時間（例えば、３０（秒））の間開放するか或いは大入賞口２１０に対する入賞遊技球の数が所定球数（例えば、９（個））になるまで当該大入賞口２１０を開放するパターン（長当たり開放パターン）に対応する遊技状態である。このため、この「長当たり遊技状態」では、遊技球の大入賞口２１０への入賞可能性が高くなり、遊技者は、多くの賞球の獲得を期待し得る。
【００９９】
また、「短当たり遊技状態」は、アタッカー２００において、所定のラウンド数（例えば、１５（回））に亘り、ラウンド毎に、大入賞口２１０を所定短時間（例えば、０．１（秒））の間開放するか或いは大入賞口２１０に対する入賞遊技球の数が所定球数（例えば、９（個））になるまで当該大入賞口２１０を開放するパターン（短当たり開放パターン）に対応する遊技状態である。このため、この「短当たり遊技状態」では、大入賞口２１０への入賞可能性が低くなり、遊技者による多くの賞球の獲得は困難になる。
【０１００】
また、「小当たり遊技状態」は、「短当たり遊技状態」と同様に、アタッカー２００において、所定の回数（例えば、１５（回））に亘り、回毎に、大入賞口２１０を所定短時間（例えば、０．１（秒））の間開放するか或いは大入賞口２１０に対する入賞遊技球の数が所定球数（例えば、９（個））になるまで当該大入賞口２１０を開放するパターン（小当たり開放パターン）に対応する遊技状態である。このため、この「小当たり遊技状態」では、「短当たり遊技状態」と同様に、大入賞口２１０への入賞可能性が低くなり、遊技者による多くの賞球の獲得は困難になる。なお、「小当たり遊技状態」は、上述のごとく、「短当たり遊技状態」と同様の遊技状態であることから、遊技者は、「小当たり遊技状態」と「短当たり遊技状態」とを区別することは困難である。
【０１０１】
しかして、上述のごとく大当たり抽選の結果が「長当たり」になる場合には、当該パチンコ遊技機の遊技状態は、制御装置３００により、「長当たり遊技状態」に制御される。換言すれば、制御装置３００は、当該パチンコ遊技機の遊技状態を「長当たり遊技状態」におくように、駆動機構２３０を制御する。このことは、駆動機構２３０が、１５ラウンドに亘り、ラウンド毎に、大入賞口２１０を上述した長当たり開放パターンにて開放するように駆動されることを意味する。
【０１０２】
このような駆動においては、大入賞口アクチュエータ２３０ａが、そのソレノイド２３１ａにて、１５ラウンドに亘り、ラウンド毎に、上記所定長時間の間２３１ａにて、最初のラウンドにて励磁されると、プランジャー２３２が、ソレノイド２３１ａにより吸引されて上記コイルスプリングに抗して矩形状筐体２３１内に向け摺動する。
【０１０３】
すると、回動部材２３０ｂが、プランジャー２３２によりその矩形状筐体２３１内への摺動に伴い、引っ張られて、図６にて示すごとく、反時計方向に回動し、連動部材２３０ｃを当該反時計方向に回動させる。これに伴い、回動部材２３０ｄが、そのピン２３９ｄにて、連動部材２３０ｃの上記反時計方向への回動に伴い下側突出壁部２３７ｃにより上方へ押動されて、大入賞口アクチュエータ２３０ａ側へ回動して、開閉扉２２０を後退させる。これにより、開閉扉２２０が上記所定長時間の間大入賞口２１０を開く（図６及び図４参照）。
【０１０４】
しかして、このように開閉扉２２０が開くと、遊技者は、操作ハンドルＨを右打ち操作する。これに伴い、遊技球は、操作ハンドルＨの最大の打球力でもって、順次、内側レール部２１及び外側レール部２２の間に向け発射されて、外側レール部２２の内周面に沿いセンター構造物３０の右側へ転動する。
【０１０５】
このように転動する各遊技球は、環状のセンター構造物３０の右側にて盤面１１に沿い下方に向けて転動する。このような状態では、大入賞口２１０が上述のごとく上記所定長時間の間開状態に維持されていることから、上述のように環状のセンター構造物３０の右側にて盤面１１に沿い下方に向けて転動する各遊技球は、大入賞口２１０に順次容易に入賞していく。すると、これら各遊技球が大入賞口センサＳ５により順次検出される。これに伴い、大入賞口センサＳ５による検出ごとに、所定数の賞球が繰り返し払いださされる。
【０１０６】
このような状態において、上記所定長時間が経過するか、或いは、賞球の払い出し数が所定数に達すると、駆動機構２３０が、大入賞口２１０を閉じるように制御装置３００により駆動制御される。
【０１０７】
しかして、大入賞口アクチュエータ２３０ａが、そのソレノイド２３１ａにて、消磁されると、プランジャー２３２が、ソレノイド２３１ａによる吸引から解放されて、上記コイルスプリングにより付勢されて回動部材２３０ｂに向けて摺動する。
【０１０８】
すると、回動部材２３０ｂが、プランジャー２３２により押動されて、図５にて示すごとく、時計方向に回動して、連動部材２３０ｃを当該時計方向に回動させる。これに伴い、回動部材２３０ｄが、そのピン２３９ｄにて、連動部材２３０ｃの上記時計方向への回動に伴い上側突出壁部２３７ｂにより下方へ押動されて、大入賞口アクチュエータ２３０ａから離れる方向へ回動して、開閉扉２２０を前進させる。このため、開閉扉２２０が、その前縁部２２４にて、前扉ＦＤの窓ガラスＦＤ２に近づいていく（図１０参照）。
【０１０９】
このような過程において、遊技盤１０の盤面１１に沿い落下する遊技球Ｍが、例えば、図９或いは図１０から分かるように、開閉扉２２０の前縁部２２４の左端部と、窓ガラスＦＤ２と、大入賞口２１０の左側壁２１２の上端部との間に挟み込まれると、当該遊技球Ｍは、前縁部２２４の左端部、窓ガラスＦＤ２及び左側壁２１２の上端部により、挟み込まれることとなる。このため、当該遊技球Ｍは、落下することなく、開閉扉２２０の前縁部２２４の左端部と、窓ガラスＦＤ２と、大入賞口２１０の左側壁２１２の上端部との間に見かけ上挟み込まれたままになる。
【０１１０】
ここで、開閉扉２２０の前縁部２２４は、上述のごとく、左端部から右端部にかけて、後方に向け直線状に傾斜している。このため、開閉扉２２０の前縁部２２４は、左端部から右端部に近づく程、窓ガラスＦＤ２から離れるようになっている。しかも、開閉扉２２０は、上述のごとく、駆動機構２３０による駆動のもとに前進しているから、当該開閉扉２２０の前縁部２２４と窓ガラスＦＤ２との間隔が、順次狭くなっていく。
【０１１１】
このため、上述のように挟み込まれた状態にある遊技球は、開閉扉２２０により、その前進に伴い、前縁部２２４の左端部と窓ガラスＦＤ２との間の間隔のうちより広い間隔部位に向けて押動される。
【０１１２】
このような過程において、当該遊技球Ｍは、その自重により下方へ移動しつつ前縁部２２４の左端部側から右端部側へ移動し、上記挟み込み状態から瞬時に解放されて、図１１或いは図１２にて示すごとく、大入賞口２１０内に落下していく。このとき、大入賞口２１０の底壁２１１の前縁部と窓ガラスＦＤ２との間の間隔は、遊技球の外径よりも小さいので、遊技球は、必然的に大入賞口２１０内に落下する。このため、開閉扉２２０は、上記挟み込み状態からの瞬時の解放のもとに、円滑に窓ガラスＦＤ２に向けて前進して、大入賞口２１０を適正に閉じることができる。
【０１１３】
以後、残りの各ラウンドにおいても、開閉扉２２０が、上述と同様に、開閉されるが、残りの各ラウンドにおける開閉扉２２０の前進過程において、上述のごとく、遊技球の挟み込みが、大入賞口２１０の左側壁２１２の上端部と、開閉扉２２０の前縁部２２４の左端部と窓ガラスＦＤ２との間に生じても、この挟み込みが、上述と同様に瞬時に解消されて、開閉扉２２０が、各ラウンド毎に、大入賞口２１０を適正に閉じる。
【０１１４】
また、上述のごとく大当たり抽選の結果が「短当たり」或いは「小当たり」になる場合には、当該パチンコ遊技機の遊技状態は、制御装置３００により、「短当たり遊技状態」或いは「小当たり遊技状態」に制御される。換言すれば、制御装置３００は、当該パチンコ遊技機の遊技状態を「短当たり遊技状態」或いは「小当たり遊技状態」におくように、駆動機構２３０を制御する。このことは、駆動機構２３０が、「短当たり遊技状態」では、１５ラウンドに亘り、ラウンド毎に、大入賞口２１０を上述した短当たり開放パターンにて開放するように駆動され、また、「小当たり遊技状態」では、１５回に亘り、回毎に、大入賞口２１０を上述した小当たり開放パターンにて開放するように駆動されることを意味する。
【０１１５】
このような駆動においては、開閉扉２２０は、上述と同様に、大入賞口２１０を開閉するように駆動されるが、大入賞口２１０を開いて開状態におく時間は、短当たり開放パターン或いは小当たり開放パターンでは、長当たり解放パターンに比べ、非常に短いことから、遊技球は、大入賞口２１０には入賞し難い。
【０１１６】
また、上述のように大入賞口２１０を閉じるにあたり、開閉扉２２０は、駆動機構２３０により上述と同様に駆動されて繰り返し前進することになる。この開閉扉２２０の繰り返しの前進過程の各々において、上述と同様に、遊技球Ｍが開閉扉２２０の前縁部２２４の左端部と、窓ガラスＦＤ２と、大入賞口２１０の左側壁２１２の上端部との間に挟み込まれることがあっても、当該遊技球Ｍは上述と同様にその挟み込み状態から解放されて大入賞口２１０内に落下していく。このため、「短当たり遊技状態」或いは「小当たり遊技状態」においても、開閉扉２２０は、上述と同様に、上記挟み込みの解消のもと、円滑に前進して大入賞口２１０を適正に閉じることができる。
【０１１７】
また、上述のように各遊技球が、順次、環状のセンター構造物３０の左側或いは右側にて下方に向けて転動していく過程において、遊技球が、始動入賞口６１に到達することなく、順次、左側或いは右側のスルーゲート８０を通過すると、これら各遊技球は、左側ゲートセンサＳ２或いは右側ゲートセンサＳ３により、順次、検出される。
【０１１８】
これに伴い、普通図柄の抽選が、左側ゲートセンサＳ２或いは右側ゲートセンサＳ３の各検出出力に基づき順次行われる。なお、この普通図柄の抽選が順次行われる過程においては、普通図柄表示器１１１が普通図柄を変動表示する。また、この変動表示中において、次の普通図柄抽選がなされる場合には、これに伴う普通図柄の普通図柄表示器１１１による変動表示は、普通図柄保留器１１２による保留表示のもとに、先の普通図柄の変動表示の終了まで保留される。
【０１１９】
しかして、上述した普通図柄の抽選のいずれかが当選すると、制御装置３００が、電チューアクチュエータ７３を駆動する。これに伴い、電動チューリップ７０が、左右両側羽根部材７２にて、電チュー入賞口７１を、電チューアクチュエータ７３により間欠的に解放するように駆動される。
【０１２０】
このような状態においては、遊技盤１０の盤面１１の中央下方へ転動する遊技球が電チュー入賞口７１に入賞し易くなる。しかして、当該遊技球が、順次、電チュー入賞口７１に入賞するごとに、当該各遊技球が電チュー入賞口センサＳ４により順次検出される。すると、この電チュー入賞口センサＳ４の検出毎に、所定個数の賞球が払い出され、大当たり抽選がなされるとともに、特別図柄が特別図柄表示器１１３により変動表示される。なお、この変動表示にあたり、既に特別図柄の変動表示がなされている場合には、特別図柄の変動表示の保留表示が特別図柄保留器１１４によりなされる。
【０１２１】
上述のように大当たり抽選が電チュー入賞口センサＳ４の検出毎になされる過程において、大当たり抽選の結果が、長当たり、短当たり或いは小当たりになると、アタッカー２００が、大入賞口２１０にて、制御装置３００による制御のもとに、上述と同様に、「長当たり開放パターン」。「短当たり開放パターン」或いは「小当たり開放パターン」に基づき開閉される。
【０１２２】
そして、開閉扉２２０が、上述のように、大入賞口２１０を閉じるように前進する過程において、遊技球が、上述と同様に、開閉扉２２０の前縁部２２４の左端部と、窓ガラスＦＤ２と、大入賞口２１０の左側壁２１２の上端部との間に挟み込まれることがあっても、当該遊技球は、上述した開閉扉２２０の前縁部２２４の傾斜形状のもとに、上述と同様に、上記挟み込み状態から解放されて、大入賞口２１０内に落下していく。
【０１２３】
このため、開閉扉２２０は、遊技球の上記挟み込み状態からの解放のもとに、円滑に前進して、大入賞口２１０を適正に閉じる。
【０１２４】
以上説明したように、本第１実施形態においては、アタッカー２００の開閉扉２２０が、その前縁部２２４にて、上述のごとく、左端部から右端部にかけて、後方に向け直線状に傾斜するように構成されている。
【０１２５】
このため、開閉扉２２０が大入賞口２１０を閉じるべく前進する過程において、遊技球が、大入賞口２１０の左側壁２１２の上端部と、開閉扉２２０の前縁部２２４の左端部と、窓ガラスＦＤ２との間に挟み込まれても、当該遊技球は、上述のごとく、開閉扉２２０により、その前進に伴い、前縁部２２４の左端部と窓ガラスＦＤ２との間の間隔のうちより広い間隔部位に向けて押動されるとともに下方へ移動して、上記挟み込み状態から瞬時に解放されて、大入賞口２１０内に落下する。従って、開閉扉２２０は、上記挟み込み状態からの瞬時の解放のもとに、円滑に窓ガラスＦＤ２に向けて前進して、大入賞口２１０を適正に閉じることができる。これにより、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。
（第２実施形態）
図１３は、本発明に係るパチンコ遊技機の第２実施形態の要部を示している。この第２実施形態では、上記第１実施形態にて述べたアタッカー２００において、開閉扉２２０が、上記第１実施形態とは異なり、その左端部２２１にて、大入賞口２１０の左側壁２１２の上端部よりも上方に位置するように、かつ右端部２２２から左端部２２１に向けて下方へ傾斜するように支持されている。その他の構成は、上記第１実施形態と同様である。
【０１２６】
このように構成した本第２実施形態では、上記第１実施形態と同様に大入賞口２１０を閉じるために、開閉扉２２０が駆動機構２３０による駆動のもとに前進する過程において、遊技球が、開閉扉２２０の前縁部２２４の左端部と、窓ガラスＦＤ２と、大入賞口２１０の左側壁２１２の上端部との間に挟み込まれると、上述のごとく、開閉扉２２０の左端部は、大入賞口２１０の左側壁２１２の上端部から上方へ離れて位置するため、上述のように挟み込まれた遊技球は、開閉扉２２０の前縁部２２４の左端部と、窓ガラスＦＤ２と、大入賞口２１０の左側壁２１２の上端部とによる互いに離れた３点支持によって、見かけ上落下不能に挟み込まれることとなる。
【０１２７】
しかしながら、開閉扉２２０の前縁部２２４は、上述のごとく、左端部から右端部にかけて、後方に向け直線状に傾斜しており、しかも、開閉扉２２０は、上述のごとく、駆動機構２３０による駆動のもとに前進する。
【０１２８】
このため、上述のように３点支持により挟み込まれた状態にある遊技球は、開閉扉２２０により、その前進に伴い、前縁部２２４の左端部と窓ガラスＦＤ２との間の間隔のうちより広い間隔部位に向けて押動される。従って、開閉扉２２０の左端部が大入賞口２１０の左側壁２１２の上端部から上方へ離れていることで、遊技球が上述のように３点支持によりしっかりと挟み込まれた状態になっても、当該遊技球は、その自重により下方へ移動しつつ左側壁２１２の上端部から容易に離れて前縁部２２４の左端部側から右端部側へ移動し、上記挟み込み状態から瞬時に解放され、上記第１実施形態と同様に大入賞口２１０内に落下していく。これにより、上記第１実施形態と同様に、開閉扉２２０は、大入賞口２１０を適正に閉じることができる。その結果、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。その他の作用効果は、上記第１実施形態と同様である。
（第３実施形態）
図１４は、本発明に係るパチンコ遊技機の第３実施形態の要部を示しており、この第３実施形態では、上記第１実施形態にて述べたアタッカー２００において、開閉扉２２０の左端側部位が、図１４にて示すごとく、その下面部において、開閉扉２２０の左端部２２１から右側へ下方に向けて断面直線状に緩やかに傾斜するように切り欠かれている。このことは、開閉扉２２０の上記左端側部位が、当該開閉扉２２０の上面を基準として、左右方向に断面楔状となる楔部２２５として形成されていることを意味する。その他の構成は、上記第１実施形態と同様である。
【０１２９】
このように構成した本第３実施形態においては、上述のごとく、アタッカー２００の開閉扉２２０は、その前縁部２２４にて、左側端部２２１の左前側隅角部２２１ａから右側端部２２２の前後方向中間部位２２２ａにかけて直線状に後方へ傾斜するように形成されており、この開閉扉２２０の上記左端側部位が、当該開閉扉２２０の上面を基準として、左右方向に断面楔状となる楔部２２５として形成されている。
【０１３０】
しかして、上記第１実施形態にて述べたと同様に、遊技球が、開閉扉２２０の前進過程において、開閉扉２２０の前縁部２２４の左端部と、窓ガラスＦＤ２と、大入賞口２１０の左側壁２１２の上端部との間に挟み込まれたとき、開閉扉２２０の上記左端側部位が上述のごとく楔部２２５として形成されていることから、当該遊技球の開閉扉２２０の前縁部２２４の左端部との間の接触範囲は非常に狭い。このことは、当該遊技球が、より一層落下し易い状態に維持されつつ、当該上記第１実施形態と同様に、前縁部２２４の左端部と窓ガラスＦＤ２との間の間隔のうちより広い間隔部位に向けて押動されることとなる。
【０１３１】
従って、当該遊技球は、前縁部２２４の左端部と窓ガラスＦＤ２との間の間隔のうちより広い間隔部位に向けて押動されながら、逸早く、下方の大入賞口２１０内に落下していくこととなる。
【０１３２】
以上説明したように、本第３実施形態によれば、上述のごとく、アタッカー２００の開閉扉２２０は、その前縁部２２４にて、右側端部２２１の左前側隅角部２２１ａから右側端部２２２の前後方向中間部位２２２ａにかけて直線状に後方へ傾斜するように形成されており、この開閉扉２２０の上記左端側部位が、上述のごとく、楔部２２５として形成されていることから、遊技球が、開閉扉２２０の前進過程において、開閉扉２２０の前縁部２２４の左端部と、窓ガラスＦＤ２と、大入賞口２１０の左側壁２１２の上端部との間に挟み込まれても、当該遊技球は、逸早く、上記挟み込みから解消されて、開閉扉２２０が逸早く円滑に前進して開閉扉２２０を適正に閉じることができる。その他の作用効果は、上記第１実施形態と同様である。
（第４実施形態）
図１５及び図１６は、本発明に係るパチンコ遊技機の第４実施形態の要部を示している。この第４実施形態では、上記第１実施形態にて述べたアタッカー２００において、開閉扉２２０に代えて、開閉扉２２０Ａが採用されている。
【０１３３】
この開閉扉２２０Ａは、上記第１実施形態にて述べた開閉扉２２０の傾斜状前縁部２２４に代えてＶ字状前縁部２２６を有する点を除き、当該開閉扉２２０と同様に構成されている。
【０１３４】
当該開閉扉２２０Ａにおいて、Ｖ字状前縁部２２６は、開閉扉２２０Ａの左前側隅角部２２１ａと右前側隅角部２２２ｂとの間にて、当該開閉扉２２０Ａの左右方向中央部を中心として、当該開閉扉２２０Ａの前側部位をその前方から後方に向けて緩やかなＶ字状となるように切り欠くことで形成されている。なお、当該Ｖ字状前縁部２２６の前面は、開閉扉２２０Ａの板厚方向に平行となっている。その他の構成は、上記第１実施形態と同様である。
【０１３５】
このように構成した本第４実施形態において、上記第１実施形態と同様に大入賞口２１０を閉じるために、開閉扉２２０に代わる開閉扉２２０Ａが、駆動機構２３０による駆動のもと、前進する過程において、遊技球Ｍが、開閉扉２２０ＡのＶ字状前縁部２２６の左端部と、窓ガラスＦＤ２と、大入賞口２１０の左側壁２１２の上端部との間に挟み込まれると、当該遊技球は、落下することなく、開閉扉２２０ＡのＶ字状前縁部２２６の左端部と、窓ガラスＦＤ２と、大入賞口２１０の左側壁２１２の上端部との間に見かけ上挟み込まれたままになる（図１７及び図１８参照）。
【０１３６】
ここで、上述のごとく、開閉扉２２０ＡのＶ字状前縁部２２６は、開閉扉２２０Ａの左前側隅角部と右前側隅角部との間にて、当該開閉扉２２０Ａの左右方向中央部を中心として、当該開閉扉２２０Ａの前側部位をその前方から後方に向けて緩やかなＶ字状となるように切り欠くことで形成されている。このため、開閉扉２２０Ａの前縁部２２６は、当該開閉扉２２０Ａの左端部から左右方向中央部に近づく程、窓ガラスＦＤ２から離れるようになっている。しかも、開閉扉２２０Ａは、上述のごとく、駆動機構２３０による駆動のもと前進しているから、当該開閉扉２２０Ａの前縁部２２６と窓ガラスＦＤ２との間隔が、開閉扉２２０Ａの前進に伴い順次狭くなっていく。
【０１３７】
これに伴い、上述のように挟み込まれた状態にある遊技球は、開閉扉２２０Ａの前縁部２２６の左端部と窓ガラスＦＤ２との間において、前縁部２２６の左端部と窓ガラスＦＤ２との間の間隔のうちより広い間隔部位に向けて押動される。
【０１３８】
このような過程において、当該遊技球は、その自重により下方へ移動しつつ前縁部２２６の左端部側から左右方向中央部側へ移動し、上記挟み込み状態から瞬時に解放されて、図１９及び図２０にて示すごとく、大入賞口２１０内に落下していく。このとき、大入賞口２１０の底壁２１１の前端部と窓ガラスＦＤ２との間の間隔は、遊技球の外径よりも小さいので、遊技球は、必然的に大入賞口２１０内に落下する。このため、開閉扉２２０Ａは、上記挟み込み状態からの瞬時の解放のもとに、円滑に窓ガラスＦＤ２に向けて前進して、大入賞口２１０を適正に閉じることができる。
【０１３９】
なお、上述の作動説明においては、遊技球が、開閉扉２２０Ａの左側端部にて挟持されて例について説明したが、例えば、遊技球が、大入賞口２１０の右側壁２１３の上端部と、開閉扉２２０Ａの右前側隅角部２２２ｂと、窓ガラスＦＤ２との間に挟み込まれた場合には、当該遊技球は、その自重により下方へ移動しつつ前縁部２２６の右端部側から左右方向中央部側へ移動し、上記挟み込み状態から瞬時に解放されて、大入賞口２１０内に落下していく。このため、開閉扉２２０Ａは、上記挟み込み状態からの瞬時の解放のもとに、円滑に窓ガラスＦＤ２に向けて前進して、大入賞口２１０を適正に閉じることができる。
【０１４０】
以上説明したように、本第４実施形態では、開閉扉２２０Ａの前縁部が、上記第１実施形態とは異なり、Ｖ字状に形成されていることから、遊技球が開閉扉２２０Ａの左側端部及び右側端部のいずれの側で上述のように挟み込まれても、当該遊技球は、上記第１実施形態と実質的に同様に、上記挟み込み状態からの瞬時の解放のもとに、円滑に窓ガラスＦＤ２に向けて前進して、大入賞口２１０を適正に閉じることができ、その結果、遊技者の継続的な遊技を良好に維持し得る。その他の作用効果は、上記第１実施形態と同様である。
（第５実施形態）
図２１は、本発明に係るパチンコ遊技機の第５実施形態の要部を示している。この第５実施形態では、上記第４実施形態にて述べたアタッカー２００において、開閉扉２２０Ａが、上記第４実施形態とは異なり、その左端部にて、大入賞口２１０の左側壁２１２の上端部よりも上方に位置するように、かつ右端部から左端部に向けて下方へ傾斜するように、支持されている。その他の構成は、上記第１実施形態と同様である。
【０１４１】
このように構成した本第５実施形態では、上記第４実施形態と同様に大入賞口２１０を閉じるために、開閉扉２２０Ａが駆動機構２３０による駆動のもとに前進する過程において、遊技球が、開閉扉２２０ＡのＶ字状前縁部２２６の左端部と、窓ガラスＦＤ２と、大入賞口２１０の左側壁２１２の上端部との間に挟み込まれると、上述のごとく、開閉扉２２０Ａの左端部は、大入賞口２１０の左側壁２１２の上端部から上方へ離れて位置するため、上述のように挟み込まれた遊技球は、開閉扉２２０Ａの前縁部２２６の左端部と、窓ガラスＦＤ２と、大入賞口２１０の左側壁２１２の上端部とにより、互いに離れた３点支持により、見かけ上落下不能に挟み込まれることとなる。
【０１４２】
しかしながら、開閉扉２２０ＡのＶ字状前縁部２２６は、上述のごとく、左端部から左右方向中央部にかけて、後方に向け直線状に傾斜しており、しかも、開閉扉２２０は、上述のごとく、駆動機構２３０による駆動のもとに前進する。このことは、当該前縁部２２６と窓ガラスＦＤ２との間隔が、開閉扉２２０の前進に伴い、順次狭くなっていくことを意味する。
【０１４３】
このため、上述のように３点支持により挟み込まれた状態にある遊技球は、開閉扉２２０により、その前進に伴い、前縁部２２４の左端部と窓ガラスＦＤ２との間の間隔のうちより広い間隔部位に向けて押動される。
【０１４４】
従って、開閉扉２２０Ａの左端部が大入賞口２１０の左側壁２１２の上端部から上方へ離れていることで、遊技球が上述のように３点支持によりしっかりと挟み込まれた状態になっても、当該遊技球は、その自重により下方へ移動しつつ左側壁２１２の上端部から容易に離れて前縁部２２６の左端部側から左右方向中央部側へ移動し、上記挟み込み状態から瞬時に解放され、上記第１実施形態と同様に大入賞口２１０内に落下していく。これにより、上記第４実施形態と同様に、開閉扉２２０Ａは、大入賞口２１０を適正に閉じることができる。これにより、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。その他の作用効果は上記第４実施形態と同様である。
（第６実施形態）
図２２及び図２３は、本発明に係るパチンコ遊技機の第６実施形態の要部を示している。この第６実施形態では、上記第１実施形態にて述べたアタッカー２００において、開閉扉２２０に代えて、開閉扉２２０Ｂが採用されている。
【０１４５】
開閉扉２２０Ｂは、図２２にて示すごとく、左側扉部２２７及び右側扉部２２８を備えており、これら左側扉部２２７及び右側扉部２２８は、上に凸な縦断面略への字状となるように互いに折れ曲がって一体的に形成されている。
【０１４６】
ここで、左側扉部２２７は、その左端部にて大入賞口２１０の左側壁２１２の上端部上に前後方向へ移動可能に位置しており、この左側扉部２２７は、その左端部から右側上方に向け傾斜状に延出している。右側扉部２２８は、左側扉部２２７の延出端部から上方へ緩やかに傾斜するように右側に向け延出されており、この右側扉部２２８は、その延出端部である右側端部にて、大入賞口２１０の右側壁２１２の上端部上に前後方向に移動可能に位置している。これにより、当該開閉扉２２０Ｂは、大入賞口２１０の上記上側開口面に沿い前後方向に移動可能となっている。
【０１４７】
但し、開閉扉２２０Ｂは、その後縁部にて、遊技盤１０の盤面１１に平行となるように形成されており、開閉扉２２０Ｂの左側扉部２２７は、その前縁部２２７ａにて、図２３にて明らかに示すごとく、当該左側扉部２２７の左側端部から延出側端部にかけて、当該左側扉部２２７の前側左端隅角部を基準にその当該左側扉部２２７の後方へ傾斜するように傾斜状前縁部２２７ａとして形成されている。
【０１４８】
また、右側扉部２２８は、その前縁部２２８ａにて、図２３にて明らかに示すごとく、左側扉部２２７の前縁部２２７ａのうち当該左側扉部２２７の延出端部に対する対応部位から開閉扉２２０Ｂの後縁部に平行となるように形成されている。これにより、開閉扉２２０Ｂと前扉ＦＤ２との間において、図２３にて示すような空所が形成される。なお、開閉扉２００Ｂが適正に閉じた状態において、右側扉部２２８と窓ガラスＦＤ２との間の間隔は、遊技球の外径よりも幾分大きい。その他の構成は、上記第１実施形態と同様である。
【０１４９】
以上のように構成した本第６実施形態において、上記第１実施形態と同様に大入賞口２１０を閉じるために、開閉扉２２０に代わる開閉扉２２０Ｂが、駆動機構２３０による駆動のもと、前進する過程において、遊技球Ｍが、開閉扉２２０Ｂの左側扉部２２７の前縁部２２４ａの左端部と、窓ガラスＦＤ２と、大入賞口２１０の左側壁２１２の上端部との間に挟み込まれると、当該遊技球Ｍは、落下することなく、開閉扉２２０Ｂの左側扉部２２７の前縁部２２７ａの左端部と、窓ガラスＦＤ２と、大入賞口２１０の左側壁２１２の上端部との間に見かけ上挟み込まれたままになる（図２４及び図２５参照）。
【０１５０】
ここで、上述のごとく、開閉扉２２０Ｂの左側扉部２２７及び右側扉部２２８は、上に凸な縦断面略への字状となるように互いに折れ曲がって一体的に形成されている。さらに左側扉部２２７は、その前縁部２２７ａにて、当該左側扉部２２７の左側端部から延出側端部にかけて、当該左側扉部２２７の前側左端隅角部を基準にその当該左側扉部２２７の後方へ傾斜するように傾斜状前縁部２２７ａとして形成されるとともに、右側扉部２２８は、その前縁部２２８ａにて、遊技盤１０の盤面１１に平行に形成されている。
【０１５１】
このため、開閉扉２２０Ｂが大入賞口２１０を閉じるべく前進する過程において、遊技球Ｍが、上述のごとく、大入賞口２１０の左側壁２１２の上端部と、左側扉部２２７の前縁部２２７ａの左端部と、窓ガラスＦＤ２との間に挟み込まれても、当該遊技球は、上述のごとく、開閉扉２２０により、その前進に伴い、前縁部２２４の左端部と窓ガラスＦＤ２との間の間隔のうちより広い間隔部位に向けて押動されるとともに右側扉部２２８の下側へ移動して、上記挟み込み状態から瞬時に解放されて、大入賞口２１０内に落下する（図２６及び図２７参照）。従って、開閉扉２２０Ｂは、上記挟み込み状態からの瞬時の解放のもとに、円滑に窓ガラスＦＤ２に向けて前進して、大入賞口２１０を適正に閉じることができる。
【０１５２】
これにより、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。その他の作用効果は上記第１実施形態と同様である。
（第７実施形態）
図２８は、本発明に係るパチンコ遊技機の第７実施形態の要部を示している。この第７実施形態では、上記第６実施形態にて述べたアタッカー２００において、開閉扉２２０Ｂが、上記第６実施形態とは異なり、その左側扉部２２７の左端部にて、大入賞口２１０の左側壁２１２の上端部よりも上方に位置するように支持されている。なお、右側扉部２２８は、上記第６実施形態と同様に、左側扉部２２７の延出端部から緩やかに上方へ傾斜している。その他の構成は、上記第６実施形態と同様である。
【０１５３】
このように構成した本第７実施形態において、上記第６実施形態と同様に大入賞口２１０を閉じるために、開閉扉２２０Ｂが駆動機構２３０による駆動のもとに前進する過程において、遊技球が、開閉扉２２０Ｂにおける左側扉部２２７の前縁部２２７ａの左端部と、窓ガラスＦＤ２と、大入賞口２１０の左側壁２１２の上端部との間に挟み込まれると、上述のごとく、開閉扉２２０Ｂの左側扉部２２７の左端部は、大入賞口２１０の左側壁２１２の上端部から上方へ離れて位置するため、上述のように挟み込まれた遊技球は、左側扉部２２７の前縁部２２７ａの左端部と、窓ガラスＦＤ２と、大入賞口２１０の左側壁２１２の上端部とによる互いに離れた３点支持によって、見かけ上落下不能に挟み込まれることとなる。
【０１５４】
しかしながら、左側扉部２２７の前縁部２２７ａは、上述のごとく、左端部から右方に向けて、後方へ直線状に傾斜しており、しかも、開閉扉２２０Ｂは、上述のごとく、駆動機構２３０による駆動のもとに前進する。
【０１５５】
このため、上述のように３点支持により挟み込まれた状態にある遊技球は、開閉扉２２０Ｂにより、その前進に伴い、左側扉部２２７の前縁部２２７ａの左端部と窓ガラスＦＤ２との間の間隔のうちより広い間隔部位に向けて押動される。従って、開閉扉２２０Ｂの左側扉部２２７が、その左端部にて、大入賞口２１０の左側壁２１２の上端部から上方へ離れていることで、遊技球が上述のように３点支持によりしっかりと挟み込まれた状態になっても、当該遊技球は、その自重により下方へ移動しつつ左側壁２１２の上端部から容易に離れて左側扉部２２７の前縁部２２７ａの左端部側から右側へ移動し、上記挟み込み状態から瞬時に解放され、上記第６実施形態と同様に大入賞口２１０内に落下していく。これにより、上記第６実施形態と同様に、開閉扉２２０Ｂは、大入賞口２１０を適正に閉じることができる。その結果、上述の球噛みのままにある場合生じがちな本来入賞すべきでない不必要な遊技球の入賞口への入賞を未然に防止することができるのは勿論のこと、遊技者は、上述のような遊技球の挟み込み状態にいらだちを覚えることなく、快適に、遊技を継続し得る。その他の作用効果は、上記第６実施形態と同様である。
【０１５６】
なお、本発明の実施にあたり、上記各実施形態に限ることなく、次のような種々の変形例が挙げられる。
（１）本発明の実施にあたり、アタッカー２００は、上記各実施形態にて述べた位置に限ることなく、スタートチャッカー６０の下側、センター構造物３０の左側或いは上側等のどのような位置にて遊技盤１０の盤面１１に設けるようにしてもよい。従って、大入賞口装置としてのアタッカーに限ることなく、一般的には、入賞口を有する可変入賞装置であってもよい。
（２）本発明の実施にあたり、アタッカー２００は、左右両側案内板２００ｂ、２００ｃを除いたアタッカー本体２００ａのみで構成してもよい。
（３）本発明の実施にあたり、上記各実施形態にて述べた前扉ＦＤは、ガラス板ＦＤ２に代えて、透明板を有していてもよい。
【符号の説明】
【０１５７】
Ｂ…遊技盤本体、ＦＤ…前扉、ＦＤ２…窓ガラス、１０…遊技盤、１１…盤面、
２００…アタッカー、２１０…大入賞口、２１１…底壁、２１２…左側壁、
２１３…右側壁、２２０、２２０Ａ、２２０Ｂ…開閉扉、２３０…駆動機構、
２２４…傾斜状前縁部、２２６…Ｖ字状前縁部、２２７…左側扉部、
２２７ａ、２２８ａ…前縁部、２２８…右側扉部。
【図１】
0005520713.tif 000002
【図２】
0005520713.tif 000003
【図３】
0005520713.tif 000004
【図４】
0005520713.tif 000005
【図５】
0005520713.tif 000006
【図６】
0005520713.tif 000007
【図７】
0005520713.tif 000008
【図８】
0005520713.tif 000009
【図９】
0005520713.tif 000010
【図１０】
0005520713.tif 000011
【図１１】
0005520713.tif 000012
【図１２】
0005520713.tif 000013
【図１３】
0005520713.tif 000014
【図１４】
0005520713.tif 000015
【図１５】
0005520713.tif 000016
【図１６】
0005520713.tif 000017
【図１７】
0005520713.tif 000018
【図１８】
0005520713.tif 000019
【図１９】
0005520713.tif 000020
【図２０】
0005520713.tif 000021
【図２１】
0005520713.tif 000022
【図２２】
0005520713.tif 000023
【図２３】
0005520713.tif 000024
【図２４】
0005520713.tif 000025
【図２５】
0005520713.tif 000026
【図２６】
0005520713.tif 000027
【図２７】
0005520713.tif 000028
【図２８】
0005520713.tif 000029